(57)【要約】【課題】  本発明は、蒸気を加熱し加熱蒸気を送出するとき加熱のロスを低減し熱源を効果的に使用する加熱蒸気発生装置を提供すること。【解決手段】  本発明の加熱蒸気発生装置１０は、蒸気Ｐを長手方向に沿って設けたコイル形の加熱器１２により加熱し加熱蒸気Ｋ１を送出する円筒形状の加熱ダクト１１と、加熱ダクト１１の底部側の側面より加熱ダクト１１の外周に沿って空気Ａ２が送入され、空気Ａ２が加熱空気Ｋ２となり送出する加熱ダクト１１の外周に設けた加熱外筒１６とを備えることとしたこと。【選択図】図１
2019078521.tif 000002
【特許請求の範囲】
【請求項１】
予め貯留した貯留水を気化し発生させた蒸気を送出する蒸気送出器と、前記蒸気送出器より送出する前記蒸気を長手方向に沿って内部に設けたコイル形の加熱器により加熱し加熱蒸気を送出する円筒形状の加熱ダクトと、前記加熱ダクトの底部側の側面より前記加熱ダクトの外周に沿って空気が送入され、前記空気が加熱空気となり送出する前記加熱ダクトの外周に設けた加熱外筒とを備えることとしたことを特徴とする加熱蒸気送出装置。
【請求項２】
前記円筒形状の加熱ダクトの外周と前記円筒形状の加熱ダクトの内周との間の長手方向に前記空気を整流する整流板を設けることとしたことを特徴とする請求項１に記載の加熱蒸気送出装置。
【請求項３】
前記整流板は、長手方向に螺旋形状としたことを特徴とする請求項２に記載の加熱蒸気送出装置。
【請求項４】
前記蒸気送出器より送出する前記蒸気は、前記コイル形の加熱器の直線状端部が設けられた前記加熱ダクトの底部側の側面より送入することとしたことを特徴とする請求項１に記載の加熱蒸気送出装置。
【請求項５】
前記円筒形状の加熱ダクトは、前記コイル形の加熱器を等間隔に複数設けることとしたことを特徴とする請求項１に記載の加熱蒸気送出装置。
【発明の詳細な説明】
【技術分野】
【０００１】  本発明は、発生させた蒸気を加熱し加熱蒸気を送出するとき加熱のロスを低減し熱源を効果的に使用することができる加熱蒸気送出装置に関する。
【背景技術】
【０００２】  従来の加熱蒸気送出装置には、貯留水を加熱して蒸気を発生させ、発生させた蒸気を加熱し加熱蒸気を送出するものがある（例えば特許文献１参照）。
【先行技術文献】
【特許文献】
【０００３】
【特許文献１】特開２０１０−７８２４９号公報
【発明の概要】
【発明が解決しようとする課題】
【０００４】  しかしながら、従来の加熱蒸気送出装置は、貯留水より蒸気を発生させ、発生させた蒸気を加熱し加熱蒸気を送出することはできるが、加熱にロスが生じており効果的に加熱が行われていないと云う問題があった。
本発明は、上記に鑑みてなされたものであって、発生させた蒸気を加熱し加熱蒸気を送出するとき加熱のロスを低減し熱源を効果的に使用することができる加熱蒸気送出装置を提供することを目的とする。
【課題を解決するための手段】
【０００５】  本発明の加熱蒸気送出装置は、予め貯留した貯留水を気化し発生させた蒸気を送出する蒸気送出器と、前記蒸気送出器より送出する記蒸気を長手方向に沿って内部に設けたコイル形の加熱器により加熱し加熱蒸気を送出する円筒形状の加熱ダクトと、前記加熱ダクトの底部側の側面より前記加熱ダクトの外周に沿って空気が送入され、前記空気が加熱空気となり送出する前記加熱ダクトの外周に設けた加熱外筒とを備えることとした。
また、前記円筒形状の加熱ダクトの外周と前記円筒形状の加熱ダクトの内周との間の長手方向に前記空気を整流する整流板を設けることとした。
また、前記整流板は長手方向に螺旋形状とした。
また、前記蒸気送出器より送出する前記蒸気は、前記コイル形の加熱器の直線状端部が設けられた前記加熱ダクトの底部側の側面より送入することとした。
さらに、前記円筒形状の加熱ダクトは、前記コイル形の加熱器を等間隔に複数設けることとした。
【発明の効果】
【０００６】  本発明の加熱蒸気送出装置は、予め貯留した貯留水を気化し発生させた蒸気を送出する蒸気送出器と、前記蒸気送出器より送出する前記蒸気を長手方向に沿って内部に設けたコイル形の加熱器により加熱し加熱蒸気を送出する円筒形状の加熱ダクトと、前記加熱ダクトの底部側の側面より前記加熱ダクトの外周に沿って空気が送入され、前記空気が加熱空気となり送出する前記加熱ダクトの外周に設けた加熱外筒とを備えることとしたため、加熱のロスを低減し熱源を効果的に使用することができる。
また、前記円筒形状の加熱ダクトの外周と前記円筒形状の加熱ダクトの内周との間の長手方向に前記空気を整流する整流板を設けることとしたため、送入する空気を整流することができ、送出する加熱空気を直線的に的確に送出することができる。
また、前記整流板は長手方向に螺旋形状としたため、送入する空気を螺旋状に送出することができ、送出する加熱空気の周辺に的確に取り巻き的確に送出することができる。
また、前記蒸気送出器より送出する前記蒸気は、前記コイル形の加熱器の直線状端部が設けられた前記加熱ダクトの底部側の側面より送入することとしたため、蒸気が加熱ダクトに向け容易に送入することができる。
さらに、前記円筒形状の加熱ダクトは、前記コイル形の加熱器を等間隔に複数設けることとしたため、加熱蒸気を所望値に容易にすることができる。
【図面の簡単な説明】
【０００７】
【図１】  本発明の第１の実施形態の加熱蒸気送出装置の断面図を示す。
【図２】  本発明の第１の実施形態の加熱蒸気送出装置に使用する整流板の斜視図を示す。
【図３】  本発明の第１の実施形態の加熱蒸気送出装置の加熱ダクトの側面図を示す。
【図４】  本発明の第２の実施形態の加熱蒸気送出装置の断面図を示す。
【図５】  本発明の第２の実施形態の加熱蒸気送出装置の加熱ダクトの側面図を示す。
【発明を実施するための形態】
【０００８】  以下、本発明の実施形態の加熱蒸気送出装置につき説明する。
【実施例１】
【０００９】  図１は、本発明の第１の実施形態の加熱蒸気送出装置の断面図を示す。
図１に示すように、本発明の第１の実施形態の加熱蒸気送出装置１０は、蒸気Ｅを送出する蒸気送出器３０と、蒸気Ｅより加熱蒸気Ｋ１を送出する円筒形状の加熱ダクト１１と、さらに、加熱空気Ｋ２を送出する加熱外筒１６とで構成されている。【００１０】  蒸気送出器３０は、貯留槽３１に貯留水Ｗを貯留する。貯留槽３１に設けられた水位センサ（図示せず）が予め定めた水位以下になったことを検知したとき制御弁（図示せず）が開き、予め定めた水位になるまで外部よりの水が送入され、貯留水Ｗの水位は一定の高さに制御されている。
貯留水Ｗは加熱され発生蒸気Ｐを発生する。発生した発生蒸気Ｐは電動ファン３２より送出する空気Ａ１と混合し、円筒形状の加熱ダクト１１に空気Ａ１と混合し蒸気Ｅが送出する。
加湿空気送出器３０は、簡潔構造で空気Ａ１と混合した蒸気Ｅの送出を効果的に行うことができる。【００１１】  円筒形状の加熱ダクト１１は、コイル形の加熱器１２が内側に平行に設けられており、加湿空気送出器３０より送出する蒸気Ｅを送入し、送入した蒸気Ｅをコイル形の加熱器１２により加熱し加熱蒸気Ｋ１を円形の送出口１４より送出する。【００１２】  円筒形状の加熱ダクト１１に設けられたコイル形の加熱器１２は、蒸気Ｅが送入する端部１２ａを直線形状とし、端部には電気接続端子１５が設けられている。電気接続端子１５は、加熱ダクト１１の底部の外側側面に固定され、電力が電気接続端子１５よりコイル形の加熱器１２の内部に設けられた電熱線に供給され、コイル形の加熱器１２は加熱する。
また、蒸気送出器３０より送出する蒸気Ｅは、コイル形の加熱器１２を直線形状とした端部１２ａが設けられた加熱ダクト１２の底部側の側面より送入するため、蒸気Ｅが加熱ダクト１１に向け容易に送入する。
そのため、加熱ダクト１１は、蒸気Ｅを容易に送入し、コイル形の加熱器１２により加熱し加熱蒸気Ｋ１を効果的に送出する。【００１３】  加熱空気Ｋ２を送出する加熱外筒１６は、加熱ダクト１１の外側に所定の隙間を確保して設けられ、底部は閉口し前部は開口している。
電動ファン１８は送出管１８ａに空気Ａ２を送出する。加熱外筒１６は、底部側で電動ファン１８の送出管１８ａより空気Ａ２が加熱ダクト１１の外側と加熱外筒１６の内側との隙間に送入する。
そのため、電動ファン１８より送出した空気Ａ２は、加熱ダクト１１の外周と加熱外筒１６の内周との隙間に送入し、加熱ダクト１１の外周に放熱されるコイル形の加熱器１２よりの加熱エネルギにより加熱され、加熱空気Ｋ２を環状形状の送出口１３より送出する。【００１４】  円筒形状の加熱ダクト１１の外周と加熱外筒１６の内周との隙間には長手方向に整流板１７が設けられている。そのため、整流板１７により、加熱ダクト１１の外周と加熱外筒１６の内周との隙間に送入し流れる空気Ａ２を整流することができ、加熱空気Ｋ２を直線的に的確に送出することができる。なお、整流板１７は長手方向に螺旋形状とすることもできる。【００１５】  以上述べたように、本発明の加熱蒸気送出装置１０は、円筒形状の加熱ダクト１１からコイル形の加熱器１２により蒸気Ｅを加熱し加熱蒸気Ｋ１を送出するとともに、加熱ダクト１１の外周と加熱外筒１６の内周との隙間に送入した空気Ａ２を加熱外筒１６から加熱ダクト１１の外周に放熱されるコイル形の加熱器１２よりの加熱エネルギにより加熱し加熱空気Ｋ２を送出し、加熱のロスを低減し熱源を効果的に使用することができる。
また、円筒形状の加熱ダクト１１の外周には、通常放熱を防止するために断熱材を必要とするが、コイル形の加熱器１２により加熱される加熱蒸気Ｋ２を送出する加熱外筒１６を設けているため、円筒形状の加熱ダクト１１の外周に断熱材を必要とせず、コンパクトのものともなっている。【００１６】  図２は、本発明の第１の実施形態の加熱蒸気送出装置に使用する整流板の斜視図を示す。
図２に示すように、本発明の第１の実施形態の加熱蒸気送出装置に使用する整流板１７は、図１に示す円筒形状の加熱ダクト１１の外周と加熱外筒１６の内周との隙間に長手方向に設けられている。そのため、整流板１７により、送入する空気Ａ２を整流することができ、空気Ａ２を加熱した加熱空気Ｋ２を直線的に的確に送出することができる。【００１７】  図３は、本発明の第１の実施形態の加熱蒸気送出装置の加熱ダクトの側面図を示す。
図３に示すように、加熱蒸気送出装置１０は、円筒形状の加熱ダクト１１が設けられ、円筒形状の加熱ダクト１１には内側の長手方向の中心線に沿ってコイル形の加熱器１２が設けられ、加熱ダクト１１の外側には加熱外筒１６が設けられている。
加熱ダクト１１と加熱外筒１６との間には隙間１９が設けられている。
【実施例２】
【００１８】  図４は、本発明の第２の実施形態の加熱蒸気送出装置の断面図を示す。
図４に示すように、本発明の第２の実施形態の加熱蒸気送出装置２０は、蒸気Ｅを送出する蒸気送出器５０と、蒸気Ｅより加熱蒸気Ｋ１を送出する円筒形状の加熱ダクト２１と、加熱空気Ｋ２を送出する加熱外筒２６とで構成されている。【００１９】  蒸気送出器５０は、貯留槽５１に貯留水Ｗを貯留する。貯留槽５１に設けられた水位センサ（図示せず）が予め定めた水位以下になったことを検知したとき制御弁（図示せず）が開き、予め定めた水位になるまで外部よりの水が送入され、貯留水Ｗの水位は一定の高さに制御されている。
貯留水Ｗは加熱され発生蒸気Ｐを発生する。発生した発生蒸気Ｐは電動ファン５２より送出する空気Ａ１と混合し、円筒形状の加熱ダクト５１に空気Ａ１と混合し蒸気Ｅが送出する。
加湿空気送出器５０は、簡潔構造で空気Ａ１と混合した蒸気Ｅの送出を効果的に行うことができる。【００２０】  円筒形状の加熱ダクト２１は、コイル形の加熱器２２が内側に等間隔で３個平行に円周上に設けられており、加湿空気送出器５０より送出する蒸気Ｅを送入し、送入した蒸気Ｅを３個のコイル形の加熱器２２により加熱し加熱蒸気Ｋ１を円形の送出口２４より送出する。【００２１】  円筒形状の加熱ダクト２１に設けられた３個のコイル形の加熱器２２は、それぞれ蒸気Ｅが送入する端部２２ａを直線形状とし、端部には電気接続端子２５が設けられている。電気接続端子２５は、加熱ダクト２１の底部の外側側面に固定され、電力が電気接続端子２５よりコイル形の加熱器２２の内部に設けられた電熱線に供給され、コイル形の加熱器２２は加熱する。
また、蒸気送出器５０より送出する蒸気Ｅは、コイル形の加熱器２２を直線形状とした端部２２ａが設けられた加熱ダクト２１の底部側の側面より送入するため、蒸気Ｅが加熱ダクト２１に向け容易に送入する。
そのため、加熱ダクト２１は、蒸気Ｅを容易に送入し、コイル形の加熱器２２により加熱し加熱蒸気Ｋ１を効果的に送出する。【００２２】  加熱空気Ｋ２を送出する加熱外筒２６は、加熱ダクト２１の外側に所定の隙間を確保して設けられ、底部は閉口し前部は開口している。
電動ファン２８は送出管２８ａに空気Ａ２を送出する。加熱外筒２６は、底部側で電動ファン２８の送出管２８ａより空気Ａ２が加熱ダクト２１の外側と加熱外筒２６の内側との隙間に送入する【００２３】  そのため、電動ファン２８より送出した空気Ａ２は、加熱ダクト２１の外周と加熱外筒２６の内周との隙間に送入し、加熱ダクト２１の外周に放熱される３個のコイル形の加熱器２２よりの加熱エネルギにより加熱され、加熱空気Ｋ２を環状形状の送出口２３より送出する。【００２４】  円筒形状の加熱ダクト２１の外周と加熱外筒２６の内周との隙間には長手方向に整流板２７が設けられている。そのため、整流板２７により、加熱ダクト２１の外周と加熱外筒２６の内周との隙間に送入し流れる空気Ａ２を整流することができ、加熱空気Ｋ２を直線的に的確に送出することができる。なお、整流板２７は長手方向に螺旋形状とすることもできる。【００２５】  以上述べたように、本発明の加熱蒸気送出装置２０は、円筒形状の加熱ダクト２１から３個のコイル形の加熱器２２により蒸気Ｅを加熱し容量を大とした加熱蒸気Ｋ１を送出するとともに、加熱ダクト２１の外周と加熱外筒２６の内周との隙間に送入した空気Ａ２を加熱外筒２６から加熱ダクト２１の外周に放熱されるコイル形の加熱器２２よりの加熱エネルギにより加熱し加熱空気Ｋ２を送出し、加熱のロスを低減し熱源を効果的に使用することができる。
また、円筒形状の加熱ダクト２１の外周には、通常放熱を防止するために断熱材を必要とするが、コイル形の加熱器２２により加熱される加熱蒸気Ｋ２を送出する加熱外筒２６を設けているため、円筒形状の加熱ダクト２１の外周に断熱材を必要とせず、コンパクトのものともなっている。【００２６】  図５は、本発明の第２の実施形態の加熱蒸気送出装置の加熱ダクトの側面図を示す。
図５に示すように、加熱蒸気送出装置２０は、円筒形状の加熱ダクト２１が設けられ、円筒形状の加熱ダクト２１には内側の長手方向の中心線に沿って等間隔で３個平行に円周上にコイル形の加熱器２２が設けられ、加熱ダクト２１の外側には加熱外筒２６が設けられている。
加熱ダクト２１と加熱外筒２６との間には隙間２９が設けられている。【００２７】  なお、円筒形状の加熱ダクト２０は、コイル形の加熱器２２を３個に限らず複数設けるようにすることもできる。
また、円筒形状の加熱ダクト１０、２０は、垂直方向に設定して使用することもできる。
【産業上の利用可能性】
【００２８】  本発明の加熱蒸気送出装置は、家庭用や工場用など各種の洗浄用に使用することができるが、加熱などにも幅広く適用することができる。
【符号の説明】
【００２９】  １０、２０  加熱蒸気送出装置
１１、２１  加熱ダクト
１２、２２  コイル形の加熱器
１６、２６  加熱外筒
１７、２７  整流板
１８，２８  電動ファン
３０、５０  加湿空気送出器
３２、５２  電動ファン
Ｐ  発生蒸気
Ｅ  蒸気
Ｋ１  加熱蒸気
Ｋ２  加熱空気
【図１】
2019078521.tif 000003
【図２】
2019078521.tif 000004
【図３】
2019078521.tif 000005
【図４】
2019078521.tif 000006
【図５】
2019078521.tif 000007